Podtech/llm-jp-corpus-v4-ja_patent huggingface dataset:
(57)【要約】      （修正有）【課題】歌口部の音発生用窓などがリコーダー管の背面側、指孔列がリコーダー管の正面側に配置されているので、吹き付ける唾の発散があっても前にいる人にかからない。歌口に近い指孔に吹き付ける息が入りやすく、音発生にロスが少ないリコーダーを提供する。【解決手段】ラビューム、ブロック、ウインドウエイなどからなる歌口を有する管楽器としてのリコーダーにおいて、歌口部の音発生用窓などが指孔列に対して異なるリコーダー管の周位置に配置され、具体例としては、歌口部の音発生用窓などがリコーダー管の背面側に配置され、これに対して指孔列がリコーダー管の正面側に配置する。【選択図】図３
0003127107.tif 000002
【実用新案登録請求の範囲】
【請求項１】
管楽器の一種であるリコーダーにおいて、ラビューム１、ブロック２、ウインドウエイ３及び窓４からなる歌口部５を、リコーダー管６の周囲の所定箇所の菅頭側７に構成配置し、前記歌口部５の音発生用ラビューム１から管尻端８までの長さを所定の調管になるように調律するとともに、前記歌口部５の音発生用ラビューム１を基準にして各音を発生させるための指孔列９を調律して構成配置し、この指孔列９は前記管頭側７に設けた歌口部５と異なるリコーダー管の周囲における正面側１０に配置させることにより、前記歌口部５の音発生を担う窓４などが正面側１０に対してリコーダー管の周囲において異なる側１１に配置されることを特徴とするリコーダー。
【考案の詳細な説明】
【技術分野】
【０００１】  本考案は、ラビューム、ブロック、ウインドウエイ、窓などからなる歌口を有する管楽器としてのリコーダーに関するものである。
【背景技術】
【０００２】  従来、ラビューム、ブロック、ウインドウエイ、窓などからなる歌口を備えた管楽器としてのリコーターが存在し、管楽器として使用されている。この歴史あるリコーダーにおいて、ウインドウエイなどの基本形状は一部しか改良されていないのが現状である。例えば、実用新案登録第３１１７４１７号や３１２０７２０号など。
【考案の開示】
【考案が解決しようとする課題】
【０００３】  従来のリコーダーや前記実用新案登録第３１１７４１７号や３１２０７２０号において、歌口と音を発生する指孔列の位置は、リコーダー管の周囲位置に置いて同一側である正面側に配置されている。このため歌口の音発生用窓も同様に正面側に配置されている。この場合、吹き付ける息が各音を発生する指孔に吹き込まれずに通過しやすく、ロスが見られた。また、歌口の一部である窓も同様に正面側に配置されているため、吹き付ける唾が正面側に飛び散り、前に居る人にかかる場合があった。本考案のリコーダーでは、このような前述の欠点を解決しようとするものである。
【課題を解決するための手段】
【０００４】  本考案は、リコーダーにおける歌口部を、リコーダー管の周囲の所定箇所の菅頭側に構成配置し、前記歌口部の音発生用ラビュームから管尻端までの長さを所定の調管になるように調律するとともに、前記歌口部の音発生用ラビュームを基準にして各音を発生させるための指孔列を調律して構成配置し、この指孔列は前記管頭側に設けた歌口部と異なるリコーダー管の周囲における正面側に配置させることにより、前記歌口部の構成の一部をになう窓が正面側と異なる位置に配置構成することによって、前記問題点を解決した。
【考案の効果】
【０００５】  次のような効果が期待できる。
指孔列と歌口部が異なるリコーダー管の周位置に配置され、具体例として、歌口部の音発生用窓などがリコーダー管の背面側、指孔列がリコーダー管の正面側に配置されているので、吹き付ける唾の発散があっても前にいる人にかからない。歌口に近い指孔に吹き付ける息が入りやすく、音発生にロスが少ないなどの効果が期待できる。
【考案を実施するための最良の形態】
【０００６】  ラビューム、ブロック、ウインドウエイなどからなる歌口を有する管楽器としてのリコーダーにおいて、指孔列に対して歌口部の音発生用窓などが異なるリコーダー管の周位置に配置され、具体例としては、歌口部がリコーダー管の背面側、指孔列がリコーダー管の正面側に配置する（注：リコーダーの正面側は吹く人の外側、背面側は吹く人側）。
【実施例】
【０００７】  以下、添付図面に従って実施例を説明する。
図１は、リコーダー管の正面側１０を示す。正面側には、各音を発生する指孔列が調律後配置される。図２は、リコーダー管の背面側１１を示す。図２において、ラビューム１、ブロック２、ウインドウエイ３及び窓４からなる歌口部５を、リコーダー管６の周囲の所定箇所（図２ではリコーダー管の背面側１１）の菅頭側７に構成配置する。そして、前記歌口部５の音発生用ラビューム１から管尻端８までの長さを所定の調管になるように調律するとともに、図１に示すように、前記歌口部５の音発生用ラビューム１を基準にして各音を発生させるための指孔列９を調律して構成配置する。この指孔列９は、前記背面側の管頭側７に設けた歌口部５と異なるリコーダー管の周囲における正面側１０に配置させることにより、前記歌口部５の音発生用窓４などが正面側１０と異なる背面側１１に配置されていることを特徴としている。なお、図１、図２に一点鎖線で示すように、歌口側と指孔を配置している側とを分離接続するように構成しても良い。このことにより、温度差による音の高低に対して管の長さを調整することも可能になる。裏孔１２は、必要に応じて正面側１０と異なる背面側１１に歌口に一番近いところに一個所設けても良い。管尻端の形状は、開放型や管内部よりも小径とした構成であってもよい。指孔列は必要に応じてその指孔数（ゼロから７個程度まで）を選定させても良い。図３に示すように、歌口に吹き込む息の流れは、リコーダーの背面側にある歌口から、主に正面側にある表側の指穴に抜けて各音を発する。
【産業上の利用可能性】
【０００８】  管楽器分野のリコーダーとして利用できる。また、歌口の形状において、図３に示すように、口でくわえる部分に傾斜などを付けることによって、くわえやすくすると共に、尺八風の雰囲気を醸し出し「尺八風リコーダー」として利用することも可能である。リコーダー管の材料としては、竹、木、金属、非金属及びプラスチックスなどにおいて、最適な材料を使用して良い。地球環境にやさしい植物由来の生分解性プラスチックを使用してもよい。トウモロコシなどの澱粉を材料としており、地中で分解するので地球環境に良い。この材料は加工しやすく、音も良い音が出るので最適な材料である。
【図面の簡単な説明】
【０００９】
【図１】本考案の一実施例であるリコーダーの正面側図を示す。
【図２】本考案の一実施例であるリコーダーの背面側図を示す。
【図３】考案の一実施例であるリコーダーの断面図を示す。
【符号の説明】
【００１０】  １    ラビューム
２    ブロック
３    ウインドウエイ
４    窓
５    歌口部
６    リコーダー管
７    菅頭側
８    管尻端
９    指孔列
１０  リコーダー管の正面側
１１  リコーダー管の背面側
１２  指孔（裏孔）
【図１】
0003127107.tif 000003
【図２】
0003127107.tif 000004
【図３】
0003127107.tif 000005
(57)【要約】【課題】本考案は、庭園の垣根等に利用される合成樹脂製よりなる人工竹垣製品を見た目もよく作業工具等が不要で簡単に繋ぎ合わせることが出来る人工竹の竹垣製品接続具に関する。【解決手段】人工竹垣と同素材で中空の円筒形を適当な長さで切り、中心角度４５度から１５０度の間の適度な角度で縦方向に切ってなした受け部（１）を２個設け、これらを開口部の対面で背中合わせにして複数の連結部（２）で連結させたことを特徴とする。【選択図】図２
0003127139.tif 000002
【実用新案登録請求の範囲】
【請求項１】
人工竹垣と同素材で中空の円筒形を適当な長さで切り、中心角度４５度から１５０度の間の適度な角度で縦方向に切ってなした受け部（１）を２個設け、これらを開口部の対面で背中合わせにして複数の連結部（２）で連結させた構成よりなる人工竹の竹垣製品接続具。
【考案の詳細な説明】
【技術分野】
【０００１】  本考案は、接続具に係り、詳しくは庭園の垣根等に利用される合成樹脂製よりなる人工竹垣製品を見た目もよく作業工具等が不要で簡単に繋ぎ合わせることが出来る人工竹の竹垣製品接続具に関する。
【背景技術】
【０００２】  近年庭園の垣根等には、天然竹の竹垣は施工に時間が掛かり又変色も早く耐久性もよくないことから人工竹垣が多数使用されるようになっている。そして体裁よく連結するには天然竹の竹垣と同様にシュロ縄等で括り付けるのが一般的であった。そんな中で簡単容易に取り付け出来るものとして人工竹垣用結び縄材（特許文献１参照）も発明されているが、これも現場での作業には熟練を要し費用もかなり掛かるのが実状である。【０００３】
【特許文献１】  〔出願番号〕特許出願平１０−１５１３４９  〔出願日〕１９９８年６月１日  〔公開番号〕特許公開平１１−３４３７５８  〔公開日〕１９９９年１２月１４日  〔出願人〕グローベン株式会社  〔発明者〕服部  崇  〔発明の名称〕人工竹垣用結び縄材
【考案の開示】
【考案が解決しようとする課題】
【０００４】  施工現場で誰にでも簡単にしかも専用工具類は一切使用せずに、連結が出来る上に見た目もよい人工竹の竹垣製品接続具を提供することを課題とする。
【課題を解決するための手段】
【０００５】（イ）  人工竹垣と同素材で中空の円筒形を適当な長さで切り、中心角度４５度から１５０度の間の適度な角度で縦方向に切ってなした受け部（１）を２個設ける。
（ロ）  受け部（１）２個を開口部の対面で背中合わせにして複数の連結部（２）で連結させる。
以上の構成よりなる人工竹の竹垣製品接続具である。
【考案の効果】
【０００６】  本考案を使用することによって、人工竹垣と人工竹垣の連結が簡単にしかも専門の工具や道具類は一切使用せずに出来るようになる。その上、竹垣と同素材を使用することによって接続箇所が外観ではわからなくなるので、シュロ縄を使用した時と違って違和感がなく見た目も美しくなる。
【考案を実施するための最良の形態】
【０００７】  本考案を実施するための最良の形態について図を使って説明する。
図１は受け部（１）の斜視図で、素材は人工竹垣と同じ合成樹脂製で一般的にはＡＢＳ樹脂よりなり、形状は人工竹垣の両端に使用するものと同じものを適当な長さで切り、中心角度７５度位で縦方向に割ってなしたものを２個設ける。【０００８】  図２は上記の受け部（１）２個を背中合わせにして２箇所ハトメにて連結（２）した本考案の斜視図である。【０００９】  本考案は以上の構成よりなり、これを使用する時は、まず連結する人工竹垣の端に本考案の人工竹の竹垣製品接続具の一方の受け部（１）を差し込み、そして連結するもう一方の人工竹垣に残りの受け部（１）を差し込む。強度を出すために上下２箇所接続すれば、よりしっかりと固定出来る。複数個ある場合はこの繰り返しとなる。使用に当たっては熟練の技も専用の工具等は一切なくても誰にでも簡単にそして早く出来ることとなる。
【実施例】
【００１０】  本考案の別の使用例として、人工竹垣４個を本考案を使用して直角に順じ接続すれば、ベビーサークルとしても使用できる。本考案の接続角度は０度から１８０度が可能でありこれ以外にもおもちゃ類などいろいろなものの接続が考えられる。
又、受け部（１）２個の連結方法としては、リベット止めや一体成型による方法も考えられる。
【図面の簡単な説明】
【００１１】
【図１】  本考案の受け部の斜視図
【図２】  本考案の斜視図
【符号の説明】
【００１２】  （１）        受け部
（２）        連結部
【図１】
0003127139.tif 000003
【図２】
0003127139.tif 000004
(57)【要約】【課題】  本考案は、手巻きストレッチフィルムの紙管に両手の指を入れることなく、両腕を水平にしたままフィルム・ロールを垂直に保持して作業ができるようにする。【解決手段】  本考案は、手巻きストレッチフィルムの紙管ホルダー４，４’に枠１を取り付け、その枠を取っ手に利用して上記の課題を解決することができる。【選択図】図１
0003127133.tif 000002
【実用新案登録請求の範囲】
【請求項１】
手巻きストレッチフィルムの紙管ホルダーに枠を取り付けた枠付き紙管ホルダー。
【考案の詳細な説明】
【技術分野】
【０００１】  本考案は、ストレッチフィルムの手巻き作業において、作業者が同フィルムを保持するのに用いる紙管ホルダーに、枠を取りつけた枠付き紙管ホルダーに関するものである。
【背景技術】
【０００２】  従来のストレッチフィルムの手巻き作業は、作業者が同フィルムのロールを垂直に保持するのに紙管の両端の穴に左右の手の指を入れ、両腕を大きく縦に広げて同ロールを支え持って上下にあげさげしながら荷物の周囲を回っていた。【０００３】  紙管に指を入れる作業者の手を保護するため、紙管に取り付ける色々なホルダーが開発されたが、手触りが多少良くなるだけで、不自然な作業時の姿勢が改善されるものではなかった。
【考案の開示】
【考案が解決しようとする課題】
【０００４】  本考案は、比較的重量のある手巻きストレッチフィルム・ロールを垂直に保持し、荷物の上部を巻く時は背伸びをし、下部を巻く時は膝を折って腰を曲げなければならない厳しい作業環境の問題点を解決しようとするものである。
【課題を解決するための手段】
【０００５】  本考案は、手巻きストレッチフィルムの紙管ホルダーに枠を取り付け、その枠を取っ手に利用するようにした。
【考案の効果】
【０００６】  上述のように、本考案は手巻きストレッチフィルムの紙管に取り付けられた枠を取っ手に利用することによって、両手の指を紙管に入れてロールを抱え持つこともなく、両腕を水平のままロールを垂直に保持して作業ができるようになる。
【考案を実施するための最良の形態】
【０００７】  枠は軽くて丈夫な適宜素材を使用し、上部の一部を取り外して手巻きストレッチフィルム・ロールを脱着できるようにする。
【実施例】
【０００８】  以下、添付図面に従って実施例を説明する。１は枠付き紙管ホルダー、２はストレッチフィルム・ロール。まず上部脱着部分３を枠から外し、ロール２の紙管５に金属棒６を通して、紙管ホルダー４及び４’を紙管５の上下の穴にはめ込みながら、上部脱着部分３をネジ６で固定する。またネジ６は締め具合の強弱によって、フィルムのテンション調整の役目もする。なお８及び８’は取っ手に利用する部分である。【０００９】  作業者は８及び８’の取っ手を両腕で水平な状態に保持し、上部を巻く時は取っ手の下の方を、また下部を巻く時は取っ手の上の方を持てば、背伸びをしたり、膝を折って腰を曲げたりしなくてよい。
【図面の簡単な説明】
【００１０】
【図１】本考案の実施例を示す正面図である。
【図２】本考案の分解図である。
【符号の説明】
【００１１】１  枠本体
２  ストレッチフィルム・ロール
３  上部脱着部分
４，４’  紙管ホルダー
５  紙管
６  ネジ山を切った金属棒
７  ネジ
８，８’取っ手になる部分
【図１】
0003127133.tif 000003
【図２】
0003127133.tif 000004
(57)【要約】【課題】従来のシャンプボール台は、首受けだけで頭の重さを受けていた．その事により頭の位置が下がり、また首のうしろで頭を受けるので、頭の血流が悪くなり貧血や脳梗塞の原因にもなり得る。また、首の痛みや頭痛の原因にもなりえた。【解決手段】従来のシャンプボールの首受けと、３のベルト状枕の２箇所で頭部の重さを受けることで頭への圧迫や重さは軽減され、首への負担もかるくなる。頭も必要以上に下がらず２の首への圧迫も軽減され貧血や脳梗塞からの原因からも解放される．ベルト状枕３にはバックル４が付いており脱着が簡単で、また一本コキ５の操作でベルトの長さの調節により背丈の長短や器具に限定されずに使用できる．【選択図】図１
0003127135.tif 000002
【実用新案登録請求の範囲】
【請求項１】
脱着，伸び縮み可能のベルト状の布を，シャンプボールの側面から巻き付けるように設置し枕として使用するベルト枕。
【考案の詳細な説明】
【技術分野】
【０００１】本考案は、シャンプボールに使用するベルト状の枕に関する。
【背景技術】
【０００２】従来のシャンプボールには枕が無く、首で頭を受けていた。
【考案の開示】
【考案が解決しようとする課題】
【０００３】首で頭を受けると、首が痛く頭部への血流も悪くなり、貧血や気分が悪くなったりする。
【課題を解決するための手段】
【０００４】  シャンプ台の頭が届く部分に、台の横からベルト状の布を枕にすることを考案した。（図１）
よつて、頭の重さを首と，頭で受け，シャンプの苦痛を軽減できた。
【考案の効果】
【０００５】本、考案のシャンプ台のベルト状枕を取り付けることにより頭の重さを首と頭でうけることにより、頭部への血流の心配もなくなり、貧血や脳梗塞からも軽減される。
また、ベルト状なので背丈の高低による首の角度の調節も容易。
【考案を実施するための最良の形態】
【０００６】本考案によるベルト状枕３は、図１に示すようにシャンプボールの側面からシャンプボールに巻きこむように設置し、側面では背丈の高低でベルトの長さを調節することで３にのる頭の角度も調整ができる一本コキ（トリグライト）も付いている．
そうすることで、頭への血行不良を防ぎ、首の痛みからも開放される。
また、布製のベルトなので、頭にもソフトでバックル４で容易に脱着も可能である。
よって通常のシャンプ台の首位置２と３で頭の重さを受けるので快適なシャンプを楽しむことが出来る．
【図面の簡単な説明】
【０００７】
【図１】本考案によるベルト枕を、シャンプ台に取り付けた上部からと側面の図である。
【図２】従来のシャンプボール台の上部から見た図。
【符号の説明】
【０００８】１  シャンプ台
２  首受け
３  ベルト状枕
４  バックル
【図１】
0003127135.tif 000003
【図２】
0003127135.tif 000004
(57)【要約】      （修正有）【課題】野球の練習用バッテングマシンは構造が複雑、且つ重量が重く、コストが高く、軟式野球の練習用に使用するには構造的に不利であった。また、他に利用する手段がない。【解決手段】圧縮空気を使用し、本体１の中にリング６を嵌め込み、ねじ込み式キャップ２とゴムボール弾５で、本体１内を密閉しゴムボール弾５を弾き出す簡単な構造であり、また、エヤーピッチングガン本体１をコンプレッサーユニットから容易に取り外しができるため自由に持ち運びもでき、他での利用価値が増す。【選択図】図２
0003127132.tif 000002
【実用新案登録請求の範囲】
【請求項１】
筒形の中に、ゴムボール弾より小径のリングを設けたことを特徴とするエヤーピッチングガン。
【請求項２】
前期のリングと、ゴムボール弾で筒内を密閉し、空気圧を利用して発砲することを特徴とする請求項１の記載のエヤーピッチングガン。
【考案の詳細な説明】
【技術分野】
【０００１】この考案は、ゴムボール弾を発射する、エヤーピッチングガンの構造に関する。
【背景技術】
【０００２】従来の投球機は、スプリングとアームの組み合わせ構造で、強力な電動機でスプリングの力を利用し、アームを強く振り下ろしボールを投げ出すか、あるいは二つの車輪の間にボールを挟み、その車輪を電動機の力で反対方向に回転させて弾き飛ばす構造である。
【考案の開示】
【考案が解決しようとする課題】
【０００３】しかしながら、以上の技術によれば、構造が複雑で、コストが高く、重量が重く、移動が困難で利用巾が限られていた。
そこで、この考案は、構造を簡素化し、軽量化を図り、低コストで、利用巾の広いエヤーピッチングガンを提供することを課題とする。【０００４】  以上の課題を解決するために、第一考案は、筒の中にゴムボール弾より小径のリングを嵌め込み、筒内を密閉することを特徴とするエヤーピッチングガンである。
また、第二考案は、安価な空気圧を利用することを特徴とするエヤーピッチングガンである。
【考案の効果】
【０００５】第一考案、または第二考案によれば、エヤーピッチングガンはリングを筒の中に嵌め込み、圧縮空気を使用することにより、構造が簡素かされ、低コストとなり、またリングの径を変えることにより、ボール弾の速度を容易に調整が可能となり、より遠くへ、方向性も正確に発射できるため、野球人口の多い軟式野球における、バッテング練習用としてバッテングマシンに利用、あるいは山村農業における農作物の鳥獣害から発射音と、ゴムボール弾により鳥獣類に比較的、優しく威嚇追い払い、発射済みのゴムボール弾を回収し、再使用可能のため、経済的に被害から守ることが可能で、利用巾が広い。
【考案を実施するための最良の形態】
【０００６】  この考案の一実施形態を、図１に示す。
エヤーピッチングガンの本体１は、金属製の筒形であり、その本体１の後部端末にゴムボール弾５を容易に安全に装填するよう、ハンドル３を設けた、ねじ込み式キャップ２に二本、左右にとりつける。ねじ込み式キャップ２の内部に、装填したゴムボール弾５を押さえる管４を設ける。
本体１の前方、発射側の内部にゴムボール弾５の外形より小さい金属製のリング６を押さえ砲身７でねじ込み固定する。
押さえ砲身７には手動で着脱、運搬、又安定据付が容易に出来るようアーチ式グリップ８を三本設け、ねじ込み式キャップ２の後部に高圧圧縮空気を送気する、エヤーホース１１接続用金属金具９と、その前方に、引き金用として引き金ボールバルブ１０を取りつけ、小型コンプレッサーとエヤーホース１１で接続、高圧圧縮空気で作動させる。
【実施形態の効果】
【０００７】この実施形態によれば、小型コンプレサーに接続、引き金用のストップボールバルブ１０を開くことにより高圧圧縮空気の働きでゴムボール弾５がリング６に嵌まり、本体１の内圧が高まり、一定の圧力でゴムボール弾を、歪み弾き出す。
この時、音も発生する。リング６の径を小さくすることにより、より強くゴムボール弾５を弾き出すことが可能となる。
装置の部品数が少なく構造が簡単のため低コストととなり、狙ったところに比較的正確に遠くに飛ばせるため利用巾が広くなる。
【産業上の利用可能性】
【０００８】本体１を小型コンプレッサーに接続のエヤーホース１１を長くして、自由に持ち運びを容易にして、鳥獣類により接近し、威嚇発射を可能としたため、農産業における農産物の鳥獣害から、優しく、経済的に低コストで、救うことが可能である。
【図面の簡単な説明】
【０００９】
【図１】この考案の一実施形態を示す斜視図である。
【図２】この考案の一実施形態を示す断面図である。
【図３】この考案の一実施形態を示す部分拡大断面図である。
【符号の説明】
【００１０】１  本体    ２  ねじ込み式キャップ    ３  ハンドル    ４  押さえ管
５  ゴムボール弾    ６  リング    ７  押さえ砲身    ８  グリップ
９  接続用金属金具    １０  引き金ボールバルブ    １１  エヤーホース
【図１】
0003127132.tif 000003
【図２】
0003127132.tif 000004
【図３】
0003127132.tif 000005
(57)【要約】【課題】本考案は、従来、樹脂類を注入してプラスチックを成型する方法だが、この手法を利用しての従来、考えもしないし、出来なかった、真空成型による金属成型製品を提供する。【解決手段】皺付き８角柱（１）に、深底円柱孔（２）を設ける、次にこのように形成し構成された全体を、原型のマスターモデル（３）として、シリコンゴム注型（４）を取る、そしてこのシリコンゴム注型（４）の注型面にＫＣＫ塗型パウダーを塗布する、そしてこのシリコンゴム注型（４）に低融点合金（５）を真空槽（７）の中で注入して一体に形成させたことを特徴とする金属成型製品。【選択図】図１
0003127134.tif 000002
【実用新案登録請求の範囲】
【請求項１】
皺付き８角柱（１）に、深底円柱孔（２）を設ける、次にこのように形成し構成された全体を、原型のマスターモデル（３）として、シリコンゴム注型（４）を取る、そしてこのシリコンゴム注型（４）の注型面にＫＣＫ塗型パウダーを塗布する、そしてこのシリコンゴム注型（４）に低融点合金（５）を真空槽（７）の中で注入して一体に形成させたことを特徴とする、真空成型による金属成型製品。
【考案の詳細な説明】
【技術分野】
【０００１】  本考案は、複雑な形状部分でも一体物で作れる、樹脂成型の方法を取り入れて、堅牢な金属材料の製品、部品を形成する技術に関するものである。
【背景技術】
【０００２】  従来、金属製品は砂型の注型に、高温の金属材料を流し込んで形成していた。
【考案の開示】
【考案が解決しようとする課題】
【０００３】  現在、部品や製品を金属で作るとなれば、機械加工や板金加工になるが、複雑形状の一体物は、製作が困難である。通常では、金属製品を一体物に、形成することが提案されているが、現状は金属類の製品は、溶かした鉄、アルミニウム等を砂型やダイキャスト型に流し込んで生産されており、複雑な形状で且つ、高い精度物を作ることはなかなか難しい事である。【０００４】  最近は、シリコンゴム型および樹脂型等にプラスチックを注入して成型する技術が進んでおり、この樹脂製品は非常に精密で複雑な形状のものまで出来るに至っている。しかしながらこれは、あくまで樹脂製品として形成されている。【０００５】  現時点では金属製品、金属部品と云えば、すべて高温の熔解金属を鋳型に注入して作られており、その膨張と収縮率に悩まされ、また形状の複雑なものは出来ず、肉厚の極薄いものや、厚いものと混在するもの等は製作困難であり、さらに内部の気泡による、巣の発生による欠点もあり、バリの仕上げも大変であった。とくに、試作品はおのずから最先端の精密精度、複雑形状をクリアする事は必要条件である。樹脂による成型の試作品はかなりの品質まで出来ているが、現時点では金属の成型品、特に金属材料を真空成型する事はなかった。
本考案は、このような問題を改善する為になされたものである。
【課題を解決するための手段】
【０００６】  表面に皺を設けた、細長い、皺付き８角柱（１）に、深底円柱孔（２）を設ける。このように形成し構成された、前記８角柱の全体を原型のマスターモデル（３）として設け、型枠（６）に、このマスターモデル（３）を置き、シリコンゴムを流して、シリコンゴム注型（４）を形成する。次に、このシリコンゴム注型（４）の注型面にＫＣＫ塗型パウダーを塗布する。これにより皺付き８角柱（１）の表面が塗装される。そして、このシリコンゴム注型（４）を、真空槽（７）の中に入れて、この中に於いて低融点合金（５）を前記注型に注入する。低融点合金は１５０℃以下で熔融する。【０００７】  最後に、真空槽（７）より取出した、シリコンゴム注型（４）をメス型とオス型に分離して取出すと、全体が一体に形成されたことを特徴とする、深底円柱孔（２）を設けた、塗装済みの皺付き８角柱（１）の、真空成型による金属成型製品が形成する。
【考案の効果】
【０００８】  １．樹脂成型と同じ真空成型であるから、肉厚の、極薄い部分（０．５ｍｍ以下）〜厚い部分迄が混在する、試作品等が簡単に出来さらに、複雑極まる構造のものまで作る事が出来る。
２．寸法精度が非常に高く、機械加工品以上の最高品質が得られる。
３．全部一体に出来、さらに不良品はまったく皆無である。
４．製作工程が少なくて、作業も簡単であり、また数量もいくらでも簡単に増やせる。ローコスト品として展開できる。
【考案を実施するための最良の形態】
【０００９】  樹脂やその他の材料で構成され形成されている、皺付き８角柱（１）にたいして、その上部表面から貫通させないで、途中迄孔加工した深底円柱孔（２）を設ける。次に、これを金属に変える仕上加工を施す。まず材料として、融点が１５０℃程度の、低融点合金（５）で形成するのがベストであるから、まずこの前記８角柱を原型として、マスターモデル（３）として設け、真空槽（７）の中で、型枠（６）にこのマスターモデル（３）を置いて、シリコンゴムを流し込んで、シリコンゴム注型（４）を形成する。次にこのようにして形成された、シリコンゴム注型（４）の注型面にＫＣＫ塗型パウダーを塗布する。これは注型製品の表面を塗装する時に行う加工方法である。次にこのマスターモデル（３）を型取った、シリコンゴム注型（４）を真空槽（７）に入れ、低融点合金（５）を流し込む、真空成型であるから型にたいして、前記合金が隅々まで流れて入り込み、複雑な形の部分を埋めて行くので、精度の高い精巧なるマスターモデル（３）と同じコピー製品が形成される。
最後にシリコンゴム注型（４）をメス型とオス型に分離して、取り出す。このように構成して全体が一体に形成されたことを特徴とする、金属成型製品として完成する。
本考案は以上のような構成であり、これを使用せんとするときには、【００１０】  通常の金属製品であり、取り扱いが容易、また堅牢、且つ高精密、高精度に出来ているので、試作製品の一部分として取り付けられるものであるなら位置決めも苦労せずに、そのまま簡単に組みつけるだけで良い。
【図面の簡単な説明】
【００１１】
【図１】    本考案の斜視図である。
【図２】    本考案のシリコンゴム注型の製作図である。
【図３】    本考案の金属成型加工図である。
【符号の説明】
【００１２】    １  皺付き８角柱
２  深底円柱孔
３  マスターモデル
４  シリコンゴム注型
５  低融点合金
６  型枠
７  真空槽
【図１】
0003127134.tif 000003
【図２】
0003127134.tif 000004
【図３】
0003127134.tif 000005
(57)【要約】【課題】            従来の一般的なパジャマやシャツ、肌着等では肩部を特別に集中的に保温するような機能はなく、そのため冬期において肩部が冷えて特に老年層においては夜熟睡出来ないことが多い。【解決手段】        パジャマやシャツ、肌着等の肩の部分に保温材料を詰めることが出来るポケットを付ける。利用者はポケットの中に保温機能を強化した特殊繊維等の保温材料を詰めて使用する。ポケットによらない場合，保温材料を肩部に縫付けたり、テープ等を使用して保温材料を装着して保温を行うようにする。【選択図】        図１
0003127157.tif 000002
【実用新案登録請求の範囲】
【請求項１】
肩の部分に一辺が１０ｃｍから２０ｃｍ程度の大きさの保温機能を強化した布地等をポケットを設けたり、テープを用いたりして装着出来るようにしたパジャマやシャツ、肌着等の衣類。
【請求項２】
肩の部分に一辺が１０ｃｍから２０ｃｍ程度の大きさの保温機能を強化した布地等を装着したパジャマやシャツ、肌着等の衣類。
【考案の詳細な説明】
【技術分野】
【０００１】
本考案は衣類の肩部に保温のための布地等を装着することにより、肩部の冷えるのを防ぐようにしたものである。
【背景技術】
【０００２】
従来の衣類では重点的に肩部に照準をあてて保温機能を強化した製品は見当たらない。
【特許文献１】特開２００４−２５６９４５号
【考案の開示】
【考案が解決しようとする課題】
【０００３】
従来の衣類には肩部を重点的に保温するような機能を持っている製品はないが、冬期において肩部が冷えて、特に老年層においては就寝時に熟睡出来ないことが多い。
【課題を解決するための手段】
【０００４】
そこでパジャマやシャツ，肌着等の肩の部分に布等の保温材料を詰めるためのポケットを付ける。図１、図２。利用者が本考案の衣類を使用する場合は、ポケットの中に布等を詰めて使用する。中に詰める材料は一般的な衣料用の布地でも良いが、保温機能を強化した特殊繊維の方がより効果的である。ポケットは布製で一般の衣類に付いているようなごく普通のポケットの様式でよいが、保温材料を保持出来るならどのような形のものでもよい。ポケットは縫付けてもテープやホック等で着脱出来るようにしても良い。又ポケットは付けずに肩の部分に布地等を直接付けるようにしてもよい。なお、レッグウオーマーを２つ折りにして使用すれば適切な材質とサイズを持った保温材料となる。
【考案の効果】
【０００５】
衣類の肩の部分に保温機能を強化した特殊繊維等の保温材料を装着しておけば冬期において就寝時に肩ぐちの冷えるのを防止し睡眠を助ける効果が大きい。又就寝時に限らず屋内外において身体の保温に有効である。又費用は殆んど必要としないにもかからわず、その効果が大きい特徴がある。
【考案を実施するための最良の形態】
【０００６】
本考案にかかわるポケットは図１、図２のように肩の部分に取付ける。ポケットの大きさは一辺が１０ｃｍから２０ｃｍ位の適宜の大きさでよい。取付は外側(表側)でも内側でもよい。又ポケットは作らず同様の位置に布地等を直接縫付けるか、同じく同様の位置にテープやホック等の保持用の素材を使うことによって保温材料を装着するようにしてもよい。図３。
【産業上の利用可能性】
【０００７】
衣類産業の振興に資する。
【図面の簡単な説明】
【０００８】
【図１】シャツ等を正面からみてポケットを付ける位置を示している。
【図２】シャツ等を上方からみてポケットを付ける位置を示している。
【図３】テープ，ホック等を取付ける位置を示している。
【符号の説明】
【０００９】
１    ポケット
２    ポケット開口部
×印  テープ又はホック等
【図１】
0003127157.tif 000003
【図２】
0003127157.tif 000004
【図３】
0003127157.tif 000005
(57)【要約】【課題】  本間、五八間に限らず、また今日流行の洋間畳の畳縁無し用の畳表として、製織容易でしかも畳床端で折り曲げ易く且つ丈夫な畳表を市販に提供する。【解決手段】  巾寸法を９５ｃｍ〜１１０ｃｍとなした畳表に於いて、その畳表の中央部の巾寸法が８２ｃｍ〜８５ｃｍの部分に於いては、普通目織りとなし、その外側の左右側部に於いては目迫織りとなしてある。【選択図】      図１
0003127158.tif 000002
【実用新案登録請求の範囲】
【請求項１】
巾寸法を９５ｃｍ〜１１０ｃｍとなした畳表に於いて、その畳表の中央部の巾寸法が８２ｃｍ〜８５ｃｍの部分に於いては、普通目織りとなし、その外側の左右側部に於いては目迫織りとなしてあることを特徴とする畳縁無し畳用の畳表。
【考案の詳細な説明】
【技術分野】
【０００１】
本考案は、畳縁のない畳を製造するための畳縁無し畳用の畳表に関する。
【背景技術】
【０００２】
従来、畳の長さ方向の側部に畳縁を使って畳表を藁床に緊縛して、畳の耐久性を持たせている。近頃、畳縁を使用しない畳が要望され、特許文献１には、畳縁を使用しないで耐久性を有する畳表が示されている。
しかし、特許文献１に示すものは、畳表の縁部に織込み緯条を少なくしたものであり、工程が複雑になり、実用的でない。また、使用する畳のサイズが限定されたものとなってしまうという問題がある。
【特許文献１】特開２０００−２７４１５号
【考案の開示】
【考案が解決しようとする課題】
【０００３】
本考案は、かかる問題点を解決するものであって、本間、五八間に限らず、また今日流行の洋間畳の畳縁無し用の畳表として、製織容易でしかも畳床端で折り曲げ易く且つ丈夫な畳表を市販に提供しようとするものである。
【課題を解決するための手段】
【０００４】
本考案に係る人工い草の畳縁無し畳用の畳表は、巾寸法を９５ｃｍ〜１１０ｃｍとなした畳表に於いて、その畳表の中央部の巾寸法が８２ｃｍ〜８５ｃｍの部分に於いては、普通目織りとなし、その外側の左右側部に於いては目迫織りとなしてあることを特徴とする。
【考案の効果】
【０００５】
本考案品は以上の如き構成であり、中央の普通目織り部分を８２ｃｍ〜８５ｃｍとなし、その他を目迫織りとなしたことは、目迫織り部分が極めて丈夫で、且つ曲げやすく畳床によく添うことができるものとなり、この畳表を使用した畳は耐久性を有するものとなるのである。しかも、畳の巾寸法は本間、六一の間、三六の間、五八の間等により異なるが、何れも８８ｃｍ〜９５．５ｃｍの範囲となされるものであるため、本考案品をどの間の畳に使用しても、畳床に対して折り曲げる部分は必ず目迫織りの部分になっており、従ってフリーサイズとして広範な適用が可能となるのである。また、本考案品を使用して、畳を製造した場合に、表面の左右側部に目迫織りの部分が表れるが、これは左右側部に於いて模様が異なり、視覚的にも美感が生じ、意匠的効果も有するものとなる。
【考案を実施するための最良の形態】
【０００６】
以下、図面に示す実施の態様について説明する。
図１は本考案に係る畳縁無し畳用の畳表の一部省略平面図、図２は図１の畳縁無し畳用の畳表を用いて製造した畳の一部断面図である。各図に於いて、１は畳表、２はい草、３は経糸、４は畳床である。ここに、畳表１の巾寸法ｗ１は９５ｃｍ〜１１０ｃｍである。
【０００７】
本考案に於ける畳縁無し畳用の畳表１は、図１に見られるように畳表１の中央を形成する巾寸法ｗ２の８２ｃｍ〜８５ｃｍの部分を、普通目織りとなし、その外側の左右側部ｍに於いては目迫織りとなしてある。
【０００８】
上記製織にさいしては目迫織り箇所の隣接する経糸３間隔を普通目織りのそれに対し半分に狭めたものとなしてあり、普通目織りが経糸３の２本越しにい草が織り込まれるのに対し、目迫織り箇所では各経糸３の上下方向を抱くように織り込まれるのである。図２に於いて２ａ、２ｂは並設される経糸を挟み込むようにして打ち込まれるい草である。該図面の通り、目迫織りの部分は、い草２ａと２ｂが１本の経糸３の上下箇所で交互に跨いで織られている。このことは、目迫織り部分は、丈夫で、曲げやすく畳床によく添うことができるものとなり、この畳表を使用した畳は耐久性を有するものとなるのである。
【０００９】
従来、畳の巾寸法は本間、六一の間、三六の間、五八の間等により異なるが、何れも８８ｃｍ〜９５．５ｃｍの範囲となされるものであるため、本考案ではその畳表１の中央部の巾寸法ｗ２を８２ｃｍ〜８５ｃｍの範囲に定め、それ以外即ち、外側の左右側部ｍを上記の如き、目迫織りとなすのである。本考案品による上記寸法は、これの使用にさいして上記の各畳床に対して何れも折り曲げる部分は目迫織りの部分になるのであり、使用勝手に優れるものである。
【００１０】
本考案品は以上の如き構成であって、これを使用した畳表は畳縁の縫着を省略しても耐久性に何ら問題なく、また視覚的にも何ら違和感なく、従来通りの和室用畳の使用の他に、現代風洋間の床面置き用その他で簡便な使用を可能にするものである。
【図面の簡単な説明】
【００１１】
【図１】本考案に係る畳縁無し畳用の畳表の一部省略平面図である。
【図２】図１の畳縁無し畳用の畳表を用いて製造した畳の一部断面図である。
【符号の説明】
【００１２】
１    畳表
２    い草
３    経糸
４    畳床
【図１】
0003127158.tif 000003
【図２】
0003127158.tif 000004
(57)【要約】【課題】生ゴミの固体・液体分離機の提供。【解決手段】本考案は生ゴミの固体・液体分離機で、主に上部ボックス１つと下部ボックス１つを包括する。上部ボックス内には水切りプレートを設け、その下の底面には漏斗状部を形成する。下に開け口１つを有し、またスチールボール１つを置いてその開け口をふさぐ。全体的には生ゴミを上部ボックス内に入れて、液体部分を水切りプレートから漏斗状空間内に流して保存する。一定時間の後、上下ボックスを組合せると、下部ボックス内の凸柱がスチールボールを動かし、液体を下部ボックスに流入させ、生ゴミの固体・液体の完全分離の目的を達成するものである。【選択図】図１
0003127194.tif 000002
【実用新案登録請求の範囲】
【請求項１】
当該上部ボックス１つ、及び下部ボックス１つを包括し、その中で上部ボックスには上開き式の上蓋を設け、上部ボックス底面には漏斗状部を形成し、開け口を１つ有しスチールボール１つを置き、その内部には別途水切りプレートを設置、下部ボックスの上部開け口は上部ボックスの底部と合わせることができ、凸柱を設けて、開け口の位置と相対させるものであることを特徴とする生ゴミの固体・液体分離機。
【請求項２】
当該上蓋に通気孔を設けることを特徴とする請求項１記載の生ゴミの固体・液体分離機。
【考案の詳細な説明】
【技術分野】
【０００１】
本考案は生ゴミの固体・液体分離機を提供するもので、２つのボックスの組合せを利用し、生ゴミ中の液体部分を重力により、固体部分と自然に分離させ、分離した生ゴミの固体と液体に特殊酵素を添加して有機肥料を形成し、実用的価値を増加させるものである。
【背景技術】
【０００２】
現代の環境保護への要求に基づき、ゴミの分類に関する議題は各界から一層重視されており、その中でも生ゴミの分別処理は重要事項の一つである。ただ従来の生ゴミ回収は、ほとんどがバケツの中に入れるだけで、固体と液体を含んだ生ゴミが完全に混合されているため回収が難しく面倒である。そして一般家庭での回収処理においてはさらに不便である。
【考案の開示】
【考案が解決しようとする課題】
【０００３】
これに鑑み、本考案は主に簡単な生ゴミの固体・液体分離機の設計において、生ごみの固体・液体分離が非常に便利に行える効果を有するものを提供することができる。
【０００４】
図１から図３を参照のこと。本考案は、上部ボックス（１） １つ、及び下部ボックス（２） １つを包括し、その中の上部ボックス（１）には上開き式の上蓋（３）を設ける。上部ボックス（１）の底面には漏斗状部（１１）を形成し、開け口（１２） １つを有し、スチールボール（１３） １つを置き、その内部には別途水切りプレート（１４）を設置する。下部ボックス（２）の上開け口部は上部ボックス（１）の底部と合わせる事ができ、設けられた凸柱（２１）は、開け口（１２）の位置と相対している。また上蓋（３）には通気孔（３１）を設ける事ができる。
【課題を解決するための手段】
【０００５】
請求項１の考案は、当該上部ボックス１つ、及び下部ボックス１つを包括し、その中で上部ボックスには上開き式の上蓋を設け、上部ボックス底面には漏斗状部を形成し、開け口を１つ有しスチールボール１つを置き、その内部には別途水切りプレートを設置、下部ボックスの上部開け口は上部ボックスの底部と合わせる事ができ、凸柱を設けて、開け口の位置と相対させるものであることを特徴とする生ゴミの固体・液体分離機としている。
請求項２の考案は、当該上蓋に通気孔を設けることを特徴とする請求項１記載の生ゴミの固体・液体分離機としている。
【考案の効果】
【０００６】
本考案は主に簡単な生ゴミの固体・液体分離機の設計において、生ごみの固体・液体分離が非常に便利に行える効果を有するものを提供することができる。
【考案を実施するための最良の形態】
【０００７】
使用する時は、上蓋（３）を開き、また、図４、図５のように、一般の生ゴミを上部ボックス（１）中に入れる。するとこの時、固体生ゴミ（４）は水切りプレート（１４）上に残り、液体生ゴミ（５）が漏斗状部（１１）に流入する。同時に、開け口（１２）から下部ボックス（２）内部へ流れて、生ゴミを固体と液体に分離する効果を達成する者である。使用の際、まずは下部ボックス（２）を組合せず、スチールボール（１３）で開け口（１２）を閉じ、一定時間の後に下部ボックス（２）を結合させると、凸柱（２１）がスチールボール（１３）を動かし、液体生ゴミ（５）を流出させて、分離の目的を完成させることができるものである。
【０００８】
これから分かるように、本考案により、極めて便利な生ゴミ固体・液体分離効果を提供することができる。また分離後の生ゴミを特殊処理することで有機肥料として提供することができ、その価値を増加する。且つ一般家庭で適用できるという利便性を持つ。
【図面の簡単な説明】
【０００９】
【図１】本考案の立体図である。
【図２】本考案の分解図である。
【図３】本考案の断面図（一）である。
【図４】本考案断面図（二）である。
【図５】本考案の実施例の参考図である。
【符号の説明】
【００１０】
１  上部ボックス
２  下部ボックス
３  上蓋
４  固体生ゴミ
５  液体生ゴミ
１２  開け口
１３  スチールボール
１４  水切りプレート
２１  凸柱
３１  通気孔
１１１  漏斗状部
【図１】
0003127194.tif 000003
【図２】
0003127194.tif 000004
【図３】
0003127194.tif 000005
【図４】
0003127194.tif 000006
【図５】
0003127194.tif 000007
(57)【要約】【課題】サンダル靴の種類は豊富で特に若い女性向きのサンダル靴はまばゆいばかりに装飾され購入意欲を喚起している。しかしながら一般市民にはいろいろ時間を掛けて見定めても購入できる数には限度がある。安価に沢山持ちたい、美しく飾りたい、自分で演出したい、との女性の根強い要望がある。【解決手段】本考案は、サンダル靴底部の足甲部アッパ−（足の甲部帯）及び足首部ストラップ（足首部帯）の取り付け部にあらかじめアッパ−及びストラップ取り付け用部品を装着することによりアッパ−及びストラップを着脱自在とし、取替え自由な別仕様商品として利用者による靴デザインの日替わりができるものにした。また、装飾品の花形や宝石なども同様としたものである。固定した靴の製造方法から利用者が自由な組み立てで作る自分のおしゃれ作り感覚への改善によって、安価で多様に美しく飾りたいとの願望を満足させるのに役立つ。【選択図】図２
0003127130.tif 000002
【実用新案登録請求の範囲】
【請求項１】
サンダル靴の靴底部の足甲部アッパ−（足の甲部帯）及び足首ストラップ（足首部帯）の取り付け部分にあらかじめアッパ−及びストラップ取り付け用部品を装着することにより、アッパ−及びストラップを着脱自在としたもので、アッパ−とストラップ及びその装飾品を別仕様商品とし、利用者による取替え自由な靴デザインの日替わりを可能としたことを特徴とする日替わりサンダル靴。
【考案の詳細な説明】
【技術分野】
【０００１】  サンダル靴の足甲部アッパ−（足甲部帯）及び足首部ストラップ（足首部帯）を着脱自在とし、利用者による取替え自由な靴デザインの日替わりを可能とした日替わりサンダル靴に関するものである。
【背景技術】
【０００２】  サンダル靴は足を覆う部分が少なく、靴と足を固定するのは足の甲部のアッパ−と足首部のストラップでデザインされたもの、またその変形や類似品も多く、デザインはきわめて多種多様であり安価なものから高級品まで幅広い商品である。
【考案の開示】
【考案が解決しようとする課題】
【０００３】  サンダル靴の種類は豊富で特に若い女性向きのサンダル靴はまばゆいばかりに装飾され購入意欲を喚起している。しかしながら一般市民にはいろいろ時間を掛けて見定めても購入できる数は限度がある。あれもほしい、これもほしいのは女心として当然であろう。もっと安価に沢山持ちたい、美しく飾りたい、自分で演出したい、との女性の根強い要望がある。
【課題を解決するための手段】
【０００４】  本考案は、靴底部の足甲部アッパ−部及び足首ストラップ部の取り付け部にあらかじめアッパ−及びストラップ取り付け用部品を装着することにより、アッパ−及びストラップを着脱可能とし、アッパ−及びストラップを取替え自由な別仕様商品として利用者による靴デザインの変更ができるものとした。また、装飾品の花形や宝石なども同様に別仕様商品として着脱自在としたものである。固定した靴の製造方法から利用者が自由な組み立てで作る自分のおしゃれ作り感覚への改善によって、安価で多様に足元を美しく飾りたいとの願望を満足させ問題点を解決している。
【考案の効果】
【０００５】  上述のように、別仕様商品だから安価になり沢山持てるし、自分で靴の好みのおしゃれが日替わりでできる。ただデザインの変更にとどまらず、おしゃれの組み合わせと例として、右足と左足が別デザインとか、別の色合いとか、別の装飾品とか自由気ままにまったく個性に合った奇抜なデザインも可能であり、日替わりどころかいつでもどこでも変えられそのデザイン変えは無限に広がっていく可能性がある。
【考案を実施するための最良の形態】
【０００６】  本考案の実施形態を説明する。靴底に足甲部アッパ−及び足首部ストラップを取り付ける部品を装着させるがアッパ−及びストラップが引き通せるように中空とする。その靴底装着部品に別仕様商品化されたアッパ−、ストラップ及び装飾品を利用者が自由に取り付け変えすることで靴デザインの日替わりを可能としたものである。なお、靴底装着部品は自らの安全と他者に対する安全に十分配意し、欠損及び脱落にも対応した堅固な金属又は硬質プラスチック等をしっかり靴底に固定したものである。
【実施例１】
【０００７】  以下、添付図面に従って一実施例を説明する。図１は靴底部へ足甲部アッパ−取り付け部品及び足首ストラップ取り付け部品を取り付けた正面図である。図２は足甲部アッパ−及び装飾品の取り付け状況図であるが、アッパ−取り付け部品の両側の中空の中を通して折り返し、足の甲上のいずれかの場所で留める。留める方法はスナップボタンタイプやバックルタイプ等とする。図３は足首ストラップの取り付け状況図であるがストラップの取り付け部品の中空の中を通して折り返し踝の下方で留め、足首一周のところは足首の何れかのところで留める。留める方法は同様である。
【実施例２】
【０００８】  足甲部アッパ−及び足首部ストラップをアッパ−取り付け部品及びストラップ取り付け部品へくぐり通して折り返すのではなく、アッパ−及びストラップ取り付け部品または靴底部へ直接パチンと差し込みまたは引っ掛けて取り付けるワンタッチタイプのもので構成する日替わりサンダル靴。
【実施例３】
【０００９】  靴底への取り付け部品を複数個連続して取り付け形成し、革ひも状のストラップを複数回くぐり通して取り付けるのに対応できるよう仕様化した靴底製品で構成する日替わりサンダル靴。
【実施例４】
【００１０】  靴底取り付け部品の中空部分を複数個所連続して形成した部品に、革ひも状のストラップを複数回くぐり通して取り付けるよう仕様化した靴底製品で構成する日替わりサンダル靴。
【図面の簡単な説明】
【００１１】
【図１】本考案の靴底部へアッパ−取り付け部品及びストラップ取り付け部品を取り付けた正面図である。
【図２】アッパ−取り付け部品へアッパ−取り付け状況及び装飾品の取り付け状況図である。
【図３】ストラップ取り付け部品へストラップの取り付け状況図である
【符号の説明】
【００１２】１  足甲部アッパ−取り付け部品
２  足首部ストラップ取り付け部品
３  足甲部アッパ−（足甲部帯）
４  装飾品
５  足首部ストラップ（足首部帯）
【図１】
0003127130.tif 000003
【図２】
0003127130.tif 000004
【図３】
0003127130.tif 000005
(57)【要約】【課題】本考案は、歯ブラシの握り手の中央に輪っかを設け、人さし指を入れて歯を磨くことで磨きやすくし、幼児から大人まで正しい持ち方を習慣づける。【解決手段】本考案は、歯ブラシの握り手の中央に、人さし指が挿入できる輪っかを３６０°回転自在に取り付けたことで、歯ブラシの握り方を変えないで自由に歯を磨く方向を変えることができる。輪っかと一体に成形された装着部は、握り手の中央に設けられた溝に嵌合されている。また、握り手には滑り止めが設けられ、正しい握り方ができるようになっている。【選択図】図２
0003127145.tif 000002
【実用新案登録請求の範囲】
【請求項１】
歯ブラシの握り手の中央に、指先が挿入できる輪っかを３６０°回転自在に取り付けたことを特徴とする歯ブラシ。
【請求項２】
歯ブラシの握り手の中央に、握り手を一周する溝を設け、輪っかを支持する円環状の装着部を、この溝に３６０°回転自在に嵌合させてなることを特徴とする請求項１記載の歯ブラシ。
【考案の詳細な説明】
【技術分野】
【０００１】  本考案は、握り手に指先が挿入できる輪っかを回転自在に取り付けた歯ブラシに関する。
【背景技術】
【０００２】  歯を磨くとき、人によって握り方に癖があり、握り方が悪いと歯が削られたり、歯ぐきを痛めたり、また歯が十分に磨かれなかったりしていた。
【考案の開示】
【考案が解決しようとする課題】
【０００３】  本考案は、常に歯ブラシを正しく持つことができるようにして、歯や歯ぐきを痛めたり、また歯が十分磨かれないことがないようにするものである。
【課題を解決するための手段】
【０００４】  （１）本考案は、歯ブラシの中央に、指先が挿入できる輪っかを３６０°回転自在に取り付けたことを特徴とする歯ブラシである。
輪っかに人さし指の指先を挿入し、親指と他の指で握り手を把持することにより、歯ブラシを正しく持つことができるようにしたものである。
輸っかの部分は３６０°回転自在となっているので、歯の表側でも裏側でも、手の持ち方を変えないで磨くことができる。【０００５】  （２）歯ブラシの握り手の中央に、握り手を一周する溝を設け、輪っかを支持する円環状の装着部を、この溝に３６０°回転自在に嵌合させてなることを特徴とする前項１記載の歯ブラシである。
【考案の効果】
【０００６】  本考案の歯ブラシは、歯を磨きやすくするとともに、歯も歯ぐきも痛めず、幼児から大人まで正しい歯ブラシの持ち方を習慣づけることができる。
【考案を実施するための最良の形態】
【０００７】  歯ブラシの握り手の中央に、握り手を一周する溝を設け、この溝に輪っかを支持する装着部を３６０°回転自在に嵌合させる。握り手は、溝の部分で前後に分解できるようにし、一方の部分に雄ねじ、他方に雌ねじを切り、装着部を嵌め込んでから双方のねじを合体させて一体となるようにすることもできる。
また、装着部をゴムのような弾性体で作り、握り手に嵌め込んでもよい。
【実施例１】
【０００８】  以下、添付図面に従って、一実施例を説明する。
図１は、本考案の歯ブラシの斜視図である。
歯ブラシの握り手１は、プラスチック等の素材を用いる。装着部４と輪っか３は一体に成形されている。装着部４は握り手１の周囲を３６０°回転自在となるよう装着されている。装着部４の前方には弾性体（例えば、ゴム等）からなる滑り止め部２があり、指が滑らないように構成されている。【０００９】  図２は、本考案の歯ブラシを手で握ったときの状態を示す説明図である。人さし指５を輪っか３に通し親指と他の指とで握り手１を支持した状態を示した。【００１０】  図３は、本考案の歯ブラシの分解図である。
図３（ａ）は、本考案の歯ブラシの本体を示した。溝６のところで前半の部分と、後半の部分に分離できるようにし、一方の端に雄ねじ、他方の端に雌ねじを切っておき、双方のねじを合わせて一体にできるようにしてもよい。また、装着部４は伸縮自在の材料で構成されていることが好ましい。ただし、ねじ部分は図面では省略した。【００１１】  図３（ｂ）は輪っか３と装着部４を示す斜視図である。両者は一体として成形されている。両者とも弾性をもつ材料、例えばゴムや適当なプラスチック等を用いてもよい。
【図面の簡単な説明】
【００１２】
【図１】本考案の歯ブラシの斜視図である。
【図２】本考案の歯ブラシを手で握ったときの状態を示す説明図である。
【図３】本考案の歯ブラシの分解図である。（ａ）は歯ブラシ本体、（ｂ）は輪っかと装着部である。
【符号の説明】
【００１３】  １  握り手
２  滑り止め部
３  輪っか
４  装着部
５  親指
６  溝
【図１】
0003127145.tif 000003
【図２】
0003127145.tif 000004
【図３】
0003127145.tif 000005